(57)【要約】【課題】本考案は、少なくとも１つの吊下げ部材（５）を有する少なくも１つの広げ要素（３）と、スリット状に形成されており、広げ要素（３）の下方で、少なくともほぼ真中で、ほぼ垂直方向に延びている出入れ用開口部（２）とを具備するランドリーバッグに関する。【解決手段】出入れ用開口部（２）の長さ（Ｌ）は、ランドリーバッグの高さ（Ｈ）の４０乃至６０％であること、及び出入れ用開口部（２）の上端は、ランドリーバッグの上縁からこのランドリーバッグの高さ（Ｈ）の１０乃至２０％の距離に離隔していること。【選択図】    図１
0003106561.tif 000002
【実用新案登録請求の範囲】
【請求項１】
上縁に沿って支持部材によって保持されるランドリーバッグであって、スリット状に形成されており、前記支持部材の下方で中央又はほぼ中央でほぼ垂直方向に延びている出入れ用開口部（２）を具備し、この出入れ用開口部（２）の長さ（Ｌ）は前記ランドリーバッグの高さ（Ｈ）の４０乃至６０％であってなるランドリーバッグにおいて、
前記ランドリーバッグはほぼ矩形に形成されていること、前記支持部材は、前記ランドリーバッグの内部で、実質的にこのランドリーバッグの全幅に亘って延び、前記ランドリーバッグ用の広げ要素（３）として機能し、前記ランドリーバッグの中央開口部の中を突入する少なくとも１つの吊下げ部材（５）を有すること、及び前記出入れ用開口部（２）の上端は、前記ランドリーバッグの上縁からこのランドリーバッグの高さ（Ｈ）の１０乃至２０％の距離に離隔していることを特徴とするランドリーバッグ。
【請求項２】
前記出入れ用開口部（２）は縁取られており、補強部材で縁部に縫い付けられる等して形成されていることを特徴とする請求項１に記載のランドリーバッグ。
【請求項３】
前記出入れ用開口部（２）の高さの少なくとも一部分に、ファスナー、例えばジッパー、マジックファスナー(登録商標)、ボタン等が設けられていることを特徴とする請求項１に記載のランドリーバッグ。
【請求項４】
前記広げ要素（３）は、通常のハンガー、又は例えばバー、パイプ、あるいは材料に設けられた補強部材であることを特徴とする請求項１乃至３のいずれか１に記載のランドリーバッグ。
【請求項５】
前記吊下げ部材（５）はフックとして形成されていることを特徴とする請求項１乃至４のいずれか１に記載のランドリーバッグ。
【請求項６】
前記吊下げ部材（５）は少なくとも１つのループからなることを特徴とする請求項１乃至４のいずれか１に記載のランドリーバッグ。
【請求項７】
洗濯可能な材料からなることを特徴とする請求項１乃至６のいずれか１に記載のランドリーバッグ。
【考案の詳細な説明】
【技術分野】
【０００１】
本考案は、少なくとも１つの吊下げ部材を有する広げ要素と、スリット状に形成されており、広げ要素の下方で、少なくともほぼ真中で、ほぼ垂直方向に延びている出入れ用開口部とを具備するランドリーバッグに関する。
【背景技術】
【０００２】
原理的な区別では、一方では、汚れた洗濯物を保管しかつクリーニング店に送るためのランドリーバッグと、他方では、清潔な衣類を保管し搬送するためのガーメントバッグとを区別することが必要である。【０００３】
ランドリーバッグは、例えばUS 4,630,312 A（特許文献１）、DE 43 18 559 C（特許文献２）及びDE 30 17 246 C（特許文献３）に記載されている。ランドリーバッグは、実質的に、袋状のバッグと、通常袋の上方領域に設けられておりかつ垂直方向に延びている開口部と、この開口部の適切なファスナーとからなる。【０００４】
ガーメントバッグは、WO 95/19726 A（特許文献４）、US 4,438,844 A（特許文献５）、US 4,572,364 A（特許文献６）、US 4,252,220 A（特許文献７）、US 3,952,847 A（特許文献８）、US 4,949,842 A（特許文献９）、US 5,002,183 A（特許文献１０）及びUS 3,929224 A（特許文献１１）から公知である。これらのガーメントバッグは実質的に広げ要素及び開口部を有し、広げ要素は衣類が皺になるのを防止するという。更に、前記公報では、追加の補強部材、特別なファスナー等のような種々の細部が開示されている。【０００５】
特別なランドリーバッグ、すなわちガーメントバッグと組み合わせた物は、US 5,090,559 A（特許文献１２）から公知である。何故ならば、このランドリーバッグをクリーニングした洗濯物の搬送のためにも用いるというのだからである。この場合、詰め込み用開口部は、ランドリーバッグの、広げ要素に対向している端部にあり、このランドリーバッグは、詰め込み用開口部の回りに閉鎖用の引き紐を有する全く通常の袋のように、汚れた洗濯物を集めるために用いられる。洗濯された洗濯物を引き渡すためにのみ、湾曲したフックを有するハンガーを、詰め込み用開口部に対向する側で、縁部に形成されたランドリーバッグの小さな開口部の中を通し、洗濯物全体をフックに（今や逆に）吊り下げることができる。洗濯されて吊り下げられる衣類はランドリーバッグの中でハンガーに掛かついる。使用に応じて、このバッグは「正しく」又は「逆さに」掛かっている。【０００６】
従って、このランドリーバッグを、汚れた洗濯物用の収集袋として規定通りに用いられる間、棚又は浴室に保管しなければならない。この場合、ランドリーバッグは置く場所を占め、これによって、概して比較的出入れし難い。このことは、特に以下のようなホテルでは重要である。このようなホテルでは、客もサービス要員もこの種の物を常に視野に入れておく方がよい。その目的は、一方では、洗濯物の世話をするというホテルの申し出を知覚するためであり、他方では、洗濯物の世話ができるか否かを、特別に考える必要なく、知るためである。
【特許文献１】US 4,630,312 A
【特許文献２】DE 43 18 559 C
【特許文献３】DE 30 17 246 C
【特許文献４】WO 95/19726 A
【特許文献５】US 4,438,844 A
【特許文献６】US 4,572,364 A
【特許文献７】US 4,252,220 A
【特許文献８】US 3,952,847 A
【特許文献９】US 4,949,842 A
【特許文献１０】US 5,002,183 A
【特許文献１１】US 3,929224 A
【特許文献１２】US 5,090,559 A
【考案の開示】
【考案が解決しようとする課題】
【０００７】
この目標を達成するために、ランドリーバッグに以下の外形を、すなわち視覚的に満足が行き、可能な場合には、ランドリーバッグが特別な場所を必要とすることなく、インフォメーション又はコマーシャルを備えるための場所も活用する外形を与えることは必要である。  
本考案は、このタイプのランドリーバッグを活用することを目的にしている。
【課題を解決するための手段】
【０００８】
このことは、本考案に基づいて、出入れ用スリットがランドリーバッグの高さの４０乃至６０％を占めること、及び出入れ用スリットの上端がランドリーバッグの上縁からランドリーバッグの高さの１０乃至２０％の位置にあることによって、達成される。ランドリーバッグの形が非矩形に形成されている場合には、ランドリーバッグの高さは、例えば算術平均値として定めることができる「中央の高さ」を意味しなければならない。【０００９】
これらの特徴によって、ランドリーバッグは、投込み用スリットが常に開いているときでも、自重及び既に投げ込んだ洗濯物の重量によって、緊張及び平坦をもって引っ張られ、通常のランドリーバッグとは異なり、ほとんど膨らまない。従って、このランドリーバッグを、例えば、浴室のドアや、又は控え室用ドア又は、所望の場合には、目立った場所を必要とすることなく、棚のドアの内側に掛けることができる。自動的にぴんと引っ張ることによって、更に、インフォメーション又はコマーシャル用に用いることができる好ましい形が得られる。洗いの済んだ洗濯物を引き渡す際に、既知のバッグの場合のように、吊下げの必要な洗濯物をバッグの中に吊り下げることができる。この場合、洗濯物は保護されている。【００１０】
ランドリーバッグが個人的に利用されるときは、このランドリーバッグを、スーツケースから別にして又はスーツケースに収納するだけでなく、特に衣類に基づいて裁断して作られた、知られた吊下げ用スーツケースの中へ吊るし、そこに入れて搬送することができる。ランドリーバッグがほぼ矩形に形成されていることは好ましい。広げ要素が係合する上縁は僅かに湾曲していてもよく、広げ要素に適合して、ランドリーバッグの吊下げ特性を改善することができる。【００１１】
出入れ用開口部を例えばジッパー又はマジックファスナー(登録商標)によって閉鎖することができ、個々の点に、例えばボタン又はマジックファスナー(登録商標)の小片によって閉鎖することができる。この際に、開閉要素が、好ましくは（広げ要素の取出し後の）ランドリーバッグ全体のように、洗濯のきくように形成されていることに注意しなければならない。【００１２】
広げ要素は、好ましくは平坦な構成になる通常のハンガー、あるいは、ランドリーバッグの上端の中央に形成された小さな開口部の中を通される吊下げ部材を有するハンガー状の広げ要素であってもよい。しかし、吊下げ部材はバー、パイプ、又は材料に設けられた補強部材であってもよい。当然ながら、広げ要素をランドリーバッグの外に設けて、例えば、ランドリーバッグの上方領域にあるループによって、広げ要素と結合することもできる。しかし、このことは、ランドリーバッグを部分的に支持する故に、例外的にしか用いられない。  
吊下げ部材がフックであることは好ましい。しかし乍ら、吊下げ部材は少なくとも１つのループ、アイ等からなってもよい。
【考案の実施の形態】
【００１３】
本考案を、図面に示した実施の形態に基づいて詳述する。図１は本考案に係わるランドリーバッグの正面図を示している。この場合、広げ要素を示すために、僅かな領域が切り欠かれている。ランドリーバッグ１は実質的に上方領域で出入れ用開口部２を有する。この出入れ用開口部は、機械的な理由から適切に縁取りされていて、縁部に補強部材で縫い付ける等して形成されている。広げ要素３は、実質的に、ランドリーバッグ１の全幅に亘って、ランドリーバッグの内部で延びており、図示した実施の形態では、僅かに湾曲して形成されている。それ故に、ランドリーバッグ１の上縁４もこの輪郭に従って僅かに湾曲して製造されている。通常のハンガーの場合のように、広げ要素３は、上方に突き出ている中央領域で、フックとして形成された吊下げ部材５を有する。この吊下げ部材は、図示した実施の形態では、ハンガーの場合に通例の如く、湾曲したワイヤからなり、棒等に掛けられるように、定められている。
【００１４】
吊下げ部材５は、この場合、ランドリーバッグ１の上縁４の中央領域に形成された小さな開口部の中へ通される。従って、吊下げ部材を再度開口部から外すことができる。続いて、広げ要素３を開口部２を通してランドリーバッグ１から取り出すことができ、ランドリーバッグを通常の洗濯又はクリーニング工程に晒すことができる。広げ要素３は、ランドリーバッグ１から取り出した後に、同様にクリーニング、場合によっては消毒することができる。
【００１５】
実施の形態を明瞭にするために、ランドリーバッグの「中央の高さ」Ｈは図面の側面に示されている。
【００１６】
ランドリーバッグ、広げ要素及び吊下げ部材は、ランドリーバッグ、ハンガー及びハンガーの吊下げ部材が通常製造されるすべての材料からなることができる。これらの材料が、一方では、ホテルの日常での手荒な扱いに耐え、他方では、容易にかつ完全に洗濯することができる材料であることは好ましい。
【図面の簡単な説明】
【００１７】
【図１】本考案に係わるランドリーバッグの正面図を示している。
【符号の説明】
【００１８】
１…ランドリーバック、２…出入れ用開口部、３…広げ要素、４…上縁、５…吊下げ部材
【図１】
0003106561.tif 000003